(57)【要約】      （修正有）【課題】簡単な操作で収納できてしかも収納物が飛び出して落下することなく、また、ポケットの製作に手間がかからず、また、見栄えがよくてフォーマルな衣類にも用いることができるポケットを提供する。【解決手段】上方又は側方向にポケット口４を有する衣類のポケット１であって、体側にある外側袋布１３と、衣類の表布側にある内側袋布１２と、内側袋布１２又は外側袋布１３に縫合された帯状布２と、を少なくとも備えたポケット１において、帯状布２が、伸縮性を有し、かつ、一端を少なくとも内側袋布１２又は外側袋布１３の上横辺３−１に、他端を少なくとも内側袋布１２又は外側袋布１３の縦辺３−２に縫合して、帯状布２をポケット１内に斜めに設けたことを特徴とする。【選択図】図１
0003217052.tif 000002
【実用新案登録請求の範囲】
【請求項１】
上方又は側方向にポケット口を有する衣類のポケットであって、体側にある外側袋布と、該外側袋布に対応し、かつ、衣類の表布側にある内側袋布と、前記内側袋布又は前記外側袋布に縫合された帯状布と、を少なくとも備えたポケットにおいて、前記帯状布が、伸縮性を有し、かつ、一端を少なくとも前記内側袋布又は前記外側袋布の上横辺に、他端を少なくとも前記内側袋布又は前記外側袋布の縦辺に縫合して、前記帯状布を前記ポケット内に斜めに設けたことを特徴とするポケット。
【請求項２】
上方又は側方向にポケット口を有する衣類のポケットであって、体側にある表布と、該表布の表面に設けられて前記ポケットを形成するポケット布と、該ポケット布と前記表布との間に形成したポケット内で前記ポケット布又は表布と縫合された帯状布と、を少なくとも備えたポケットにおいて、前記帯状布が、伸縮性を有し、かつ、一端を前記ポケット布の上横辺近傍又は前記表布のポケット内の上部に、他端を少なくとも前記ポケット布の縦辺又は前記表布の縦辺に縫合して、前記ポケット内に前記帯状布を斜めに設けたことを特徴とするポケット。
【考案の詳細な説明】
【技術分野】
【０００１】
本考案は、スマートフォンなどの収納物が上着やズボン等の衣類のポケットから飛び出して落下することを防止するポケットに関するものである。
【背景技術】
【０００２】
衣類のポケットは、頻繁に使用する様々な小物を収納できるので大変便利である。しかし、スマートフォンや携帯電話のような重量のある物をポケットに収納した場合において、胸ポケットの場合は前屈みになったとき、又は、ズボンのポケットの場合はトイレ等で脱ぐときに、スマートフォンや携帯電話はポケットから飛び出し易く、その結果、落下による損傷又は水没による故障がしばしば発生する。スマートフォンや携帯電話は、高価なものであり、損傷、故障及びデータ消滅による経済的損害は少なくない。
【０００３】
そこで、スマートフォン等の落下防止策の一つとして、従来はポケット口をボタン等で留めて落下を防いでいた。しかし、ボタン等で留めるのが煩わしいのでその点を改良したポケットとして、飛び出し防止壁をポケット口の上方からポケット内の下端まで中央に設けてポケット内を二重にして、上方にスマートフォンが飛び出すことを防止するものがあった。
【０００４】
しかし、この方法では、ポケット内に収めた収納物が、前屈みの姿勢をとることによる上方の飛び出しを、飛び出し防止壁によって阻止できる点で有効であるが、飛び出し防止壁がポケット上部から露出するので、見栄えが悪くスーツやワイシャツ等のフォーマルな服装に適さない。また、飛び出し防止壁とポケットの間から横向けに収納物を出し入れするので、出し入れするのに手間がかかる等の不具合が発生するおそれがあった。
【０００５】
そこで、簡単な操作で収納できてしかも収納物が飛び出して落下することなく、また、外観がよくてフォーマルな衣類に用いることもできるポケットが先行技術として開示されている（文献１）。
【先行技術文献】
【特許文献】
【０００６】
【特許文献１】実用新案登録第３１７７３２７号公報。
【考案の概要】
【考案が解決しようとする課題】
【０００７】
前記の先行技術は、簡単な操作で収納できてしかも収納物が飛び出して落下することなく、また、外観がよくてフォーマルな衣類に用いることもできるが、内蓋が厚みのある生地なので、フォーマルな服の場合に、シルエットに影響を及ぼすおそれがあった。また、縫合する総延長が長いので、製作に時間と手間がかかるという問題があった。
【０００８】
そこで、上記の問題を解決するために、簡単な操作で収納できてしかも収納物が飛び出して落下することなく、また、縫合する総延長が短いのでポケットの製作に手間がかからず、また、外観がよくてフォーマルな衣類に用いることもできるポケットを考案して提供するものである。
【課題を解決するための手段】
【０００９】
本考案の請求項１に係るポケットは、上方又は側方向にポケット口を有する衣類のポケットであって、体側にある外側袋布と、該外側袋布に対応し、かつ、衣類の表布側にある内側袋布と、前記内側袋布又は前記外側袋布に縫合された帯状布と、を少なくとも備えたポケットにおいて、前記帯状布が、伸縮性を有し、かつ、一端を少なくとも前記内側袋布又は前記外側袋布の上横辺に、他端を少なくとも前記内側袋布又は前記外側袋布の縦辺に縫合して、前記帯状布を前記ポケット内に斜めに設けたことを特徴とする。
【００１０】
請求項２に係るポケットは、上方又は側方向にポケット口を有する衣類のポケットであって、体側にある表布と、該表布の表面に設けられて前記ポケットを形成するポケット布と、該ポケット布と前記表布との間に形成したポケット内で前記ポケット布又は表布と縫合された帯状布と、を少なくとも備えたポケットにおいて、前記帯状布が、伸縮性を有し、かつ、一端を前記ポケット布の上横辺近傍又は前記表布のポケット内の上部に、他端を少なくとも前記ポケット布の縦辺又は前記表布の縦辺の位置に縫合して、前記ポケット内に前記帯状布を斜めに設けたことを特徴とする。
【００１１】
ポケットには、表布の表面（外側）にポケット布を縫合して形成されるパッチポケット（セットオンポケット）と、表布に切込みを入れてポケット口として、表布の体側（内側）に袋布を設け、該袋布を縫合して形成する切りポケット（セットインポケット）がある。本考案に係るポケットは、帯状布が、伸縮性を有していて、かつ、ポケット内のポケット口付近に設けられている。該帯状布は、セットインポケットの場合には、一端を前記内側袋布又は前記外側袋布の上横辺に、他端を前記内側袋布又は前記外側袋布の縦辺に縫合して、前記帯布を前記ポケット内に斜めに設けている。また、セットオンポケットの場合には、一端を前記ポケット布の上横辺近傍又は前記表布のポケット内の上部に、他端を前記ポケット布の縦辺又は前記表布とポケット布とを縦に縫合している箇所に縫合して、前記ポケット内に前記帯状布を斜めに設けている。
【００１２】
ストレッチを有する帯状布は収縮するので、ポケットに収められたスマートフォン、携帯電話又は手帳等の収納物は、それぞれの角の部分を押圧して保持することができる。よって、収納物の落下を完全に防止できて、たとえ逆立ちをしたとしても落下しない。また、帯状布が伸縮するので、簡単に、スマートフォン等を所定の位置に収納できるし、また、取出す際も、帯状布を一瞬引っ張って外すだけでよく、非常に簡単である。
【００１３】
また、本考案に係るポケットは、帯状布としてストレッチテープを用いることによって、ストレッチテープが非常に薄いので、ポケットが膨らんだりせず、外観の見栄えもよい。また、帯状布は、ポケット内にありポケット口から見えないので、通常の衣類と同じポケットの外観を呈するので、作業着やカジュアルな服装だけでなく、フォーマルな服装に用いることができる。
【００１４】
本考案に係るポケットは、上着やシャツだけでなく、ズボンやスカートなどを含めた衣類全般のポケットとして利用できる。
【００１５】
帯状布は、短辺を袋布や表布と縫合するので、その縫合する総延長が非常に短くなる。よって、製作に手間がかからない。よって、従来のポケットの製作と同等のコストで作成することができる。
【考案の効果】
【００１６】
本考案に係るポケットによれば、例えば、前屈みやしゃがんだ姿勢をしても、スマートフォン等の収納物を帯状布によってポケット内に保持できるので、落とすことがない。従って、高価なスマートフォンが破損や故障したりしないので経済的損失を被らない。
【００１７】
また、従来の衣類に本考案のポケットを採用しても外観形状が変わらないので、スーツ、礼服、略礼服等のフォーマルな衣服にも用いることができる。
【００１８】
また、本考案に係るポケットは、その製作に手間がかからず、コストがかすむことはない。
【図面の簡単な説明】
【００１９】
【図１】図１は、本考案を実施するための形態に係るポケットをセットインポケットに用いた場合の模式的正面図である。
【図２】図２は、本考案を実施するための形態に係るポケットをセットオンポケットに用いた場合の模式的正面図である。
【図３】図３は、本考案を実施するための形態に係るポケットをズボン（セットインポケット）に用いた場合の模式的正面図である。
【図４】図４は、本考案を実施するための形態に係るポケットの使用状態を示す模式的斜視図である。
【図５】図５は、本考案を実施するための形態に係るポケットのジャケットに使用した際の模式的正面図である。
【考案を実施するための形態】
【００２０】
本考案に係るポケット1は、少なくともポケット内に、例えば、ストレッチテープのような、伸縮性を有した帯状布２を備えている。
【００２１】
また、ポケットには、図１に示すように、表布１０に切込みを入れてポケット口４として、表布１０の体側（内側）に袋布（通常は、内外２枚の袋布からなるが、１枚のものもある。）１２、１３を設け、該袋布１２、１３を縫合して形成する切りポケット（セットインポケット）と、図２に示すように、表布１０の表面（外側）にポケット布１１を縫合して形成されるパッチポケット（セットオンポケット）がある。本考案に係るポケット１は、セットインポケット及びセットオンポケットの両方に用いることができる。
【００２２】
図１に示すように、セットインポケットの場合には、本考案に係るポケット１は、伸縮性を有した帯状布２と、内側袋布１２及び外側袋布１３と、から構成されており、帯状布２は、一端を内側袋布１２と外側袋布1３とに挟むようにして、それらの上横辺３−１に縫合され、また、他端を内側袋布１２と外側袋布１３に挟むように、それらの縦辺３−２に縫合されており、帯状布２はポケット内に斜めに設けている。なお、帯状布２は、一端を内側袋布１２又は外側袋布１３の上横辺３−１のいずれかに、また、他端を内側袋布１２又は外側袋布１３のいずれかに縫合してもよい。また、玉縁布１６の上横辺（ポケット口４の上横辺）で帯状布２を表布１０と内側袋布１２、外側袋布１３と一緒に縫合してもよい。
【００２３】
また、図２に示すように、セットオンポケットの場合には、本考案に係るポケット１は、伸縮性を有した帯状布２と、表布１０及びポケット布１１と、から構成され、蓋帯状２は、一端を表布１０のポケット内の上部３−１に、他端を表布１０とポケット布１１とに挟まれるようにして縦辺３−２の位置に縫合して斜めに設けている。なお、帯状布２は、一端をポケット布１１の上横辺３−１近傍に、他端をポケット布１１又は表布１０のいずれかの縦辺３−２の位置に縫合してもよい。
【００２４】
帯状布２は、ストレッチテープであるので、伸縮性があって薄い布である。よって、スマートフォン２０を収納する際には、スマートフォン２０が帯状布２に引っ掛かったりしないので、スムーズに収納できる。即ち、スマートフォン２０を収納した後は、帯状布２は伸縮性があるので、少し引張って伸ばすと簡単にスマートフォン２０の上角に簡単に引っ掛けることができ、手を離すと、帯状布２の収縮力によってスマートフォンをしっかりと保持できる。よって、飛んだり走ったり、場合によっては、ポケット１のポケット口４が下を向くよう上体を折り曲げたとしても、スマートフォン２０はポケット１から落下することはない。よって、高価なスマートフォン２０不慮の事故で故障や破損するのを防ぐことができる。なお、スマートフォン２０をポケット１から取出す際は、逆の手順を行えばよい。
【００２５】
図３は、ズボンやスカート等によく用いられているポケット口４が縦向き（斜め）になっているタイプのポケットである。本考案に係るポケット１を、ズボン等のこのタイプのポケットに採用する場合には、帯状布は２は、スマートフォン２０の落下を防止するために、一端を上横辺３−１に、また、他端をポケット口３側の縦辺３−２に、袋布１２、１３と一緒に縫合して設けるのが好適である。なお、図３のように、帯状布２がポケット口か４からはみ出ることも有り得るが、その場合でも、表布１０と同じ色の帯状布２を使用したり、帯状布２の幅を細くしたりして、外観の違和感をなくすことができる。
【００２６】
また、本考案に係るポケット１のもうひとつの特徴は、外観の見栄えが良いことである。ポケット１が、図２のように、セットオンポケットの場合には、帯状布２を縫合する位置は、ポケット布１１のポケット口４の上横辺３−１近傍である折返し内１５に縫合して設けるのが良い。このことによって、通常、収納物をポケット１に入れていない状態であれば、帯状布２は、外側から見えず、また、帯状布２は薄いストレッチテープが１枚なので、ポケット１が膨らんだりせず、従来のポケットと変わらず良い外観である。同様にして、セットインポケットの場合にも、スマートフォン２０等の収納物を出し入れしても、ポケット１内で丸まったりしてポケット１が膨らんだりしないので、外観の見栄えがよい。従って、例えば、スーツのチェンジポケットに用いることができる。
【００２７】
本考案に係るポケット１の縫製方法の１例を説明する。図１に示すように、表布１０と玉縁布１６で玉縁ポケットを作る際に、内側袋布１２に帯状布２を載せ、ポケット１のポケット口４の上側の位置で帯状布２の一端を挟み縫合する。次に、内側袋布１２と外側袋布１３に帯状布２の他端側を挟み、一緒に縫合して完成する。
【００２８】
次に、本考案に係るポケット１の使用方法の一例を図４、図５に基づいて説明する。まず、本考案に係るポケット１にスマートフォン２０を、通常のポケットに入れるように、ポケット口４から入れる。ポケット１の底までスマートフォン２０が達すれば、手で帯状布２を引張って、スマートフォン２０の角に引掛けて手を離せばスマートフォン２０は伸縮性のある帯状布２によって簡単に保持することができて収納完了である。逆に、スマートフォン２０をポケット１から出す場合には、まず、手で帯状布２を引張って、スマートフォン２０の角から外し、スマートフォン２０をポケット１から簡単に取出すことができる。
【００２９】
このように本考案に係るポケット１を使用すれば、収納物が落下することを簡単な操作で防ぐことができる。また、素早く出し入れができるので、スマートフォン２０を収納しているときに電話が鳴っても、簡単な操作で、かつ、素早く対応できるので電話に出損なうことがない。
【００３０】
また、本考案のポケット１は、落下させない収納物の大きさに幅を持たせることができて自由に収納物を選ぶことができるので汎用性がある。また、ポケット１は、上着だけでなく、シャツ、ズボン及びスカート等あらゆる衣類のポケットに用いることができる。また、機能性だけでなく外観も非常に見栄えが良いので、作業着などの衣類だけでなくフォーマルな衣類にも使用することができる。
【産業上の利用可能性】
【００３１】
ポケットを有する衣類の分野で広く利用できる。
【符号の説明】
【００３２】
１：ポケット
２：帯状布（ストレッチテープ）
３−１：上横辺        ３−２：縦辺        
４：ポケット口
１０：表布
１１：ポケット布              
１２：内側袋布
１３：外側袋布
１４：縫い目
１５：ポケット口の縫い目
１６：玉縁布１６
２０：スマートフォン
３０ジャケット
【図１】
0003217052.tif 000003
【図２】
0003217052.tif 000004
【図３】
0003217052.tif 000005
【図４】
0003217052.tif 000006
【図５】
0003217052.tif 000007